(57)【要約】【課題】天井型エアコンのベーン制御方法において、初期運転時の冷・暖房気流をより速かに床面まで伝達して内室者の体感温度に対する満足度を高め、また、経時によって室内気流速度を可変として均一気流を提供することによって、内室者の気流不快感を最小化させ、空気調和性能を向上させる。【解決手段】空気調和運転の初期起動時にベーン（vane）の運転角度を既設定された最大角度に制御して気流速度を最大に増加させる段階と、一定時間単位に前記ベーンの運転角度を既設定された最小角度まで段階的に減少させて気流速度を可変する段階と、からなる天井型エアコンのベーン制御方法を提供する。【選択図】図３
2006317142.tif 000002
【特許請求の範囲】
【請求項１】
風向きを調節するための複数のベーン（vane）を備えた天井型エアコンのベーン制御方法であって、
（ａ）空気調和運転を行う間に、前記ベーンの運転角度を段階的に可変して空調気流を調節する段階
からなることを特徴とする天井型エアコンのベーン制御方法。
【請求項２】
前記（ａ）段階は、
空気調和運転が開始されると、前記ベーンの運転角度を既設定された最大角度に制御して空調気流を最大に増加させる段階と、
前記ベーンの運転角度を一定時間単位に最大角度から既設定された最小角度まで段階的に減少させて空調気流を調節する段階と、
からなることを特徴とする請求項１に記載の天井型エアコンのベーン制御方法。
【請求項３】
前記ベーンの運転角度を段階的に減少させる段階は、
最大角度から最小角度までの角度を複数に等分し、前記等分した角度によってベーンの運転角度を段階的に減少させることを特徴とする請求項２に記載の天井型エアコンのベーン制御方法。
【請求項４】
前記ベーンの運転角度が最初に最小角度に到達した後には、前記最大角度と最小角度との範囲内で前記ベーンの運転角度を連続的に可変する自動スイングモード（auto swing mode）に切り替える段階をさらに備えることを特徴とする請求項２に記載の天井型エアコンのベーン制御方法。
【請求項５】
前記（ａ）段階は、
空気調和運転が開始されると、前記ベーンの運転角度を既設定された最大角度に制御して空調気流を最大に増加させる段階と、
既設定された時間が経過すると、前記ベーンの運転角度を最大角度と最小角度との範囲内で連続的に可変する自動スイングモードに切り替える段階と、を備えることを特徴とする請求項１に記載の天井型エアコンのベーン制御方法。
【請求項６】
前記（ａ）段階は、
空気調和運転が開始されると、前記ベーンの運転角度を既設定された最大角度に制御して空調気流を最大に増加させ、室内温度を周期的に感知する段階と、
前記感知した室内温度が既設定された温度レベルに到達すると、前記ベーンの運転角度を最大角度と最小角度との範囲内で連続的に可変する自動スイングモードに切り替える段階と、からなることを特徴とする請求項１に記載の天井型エアコンのベーン制御方法。
【請求項７】
前記最大角度は、９０度よりも小さい角度に設定されることを特徴とする請求項２、５及び６のいずれか一項に記載の天井型エアコンのベーン制御方法。
【請求項８】
前記最小角度は、２０度よりも大きい角度に設定されることを特徴とする請求項２、５及び６のいずれか一項に記載の天井型エアコンのベーン制御方法。
【請求項９】
風向きを調節するための複数のベーン（vane）を備えた天井型エアコンのベーン制御方法であって、
（ａ）空気調和運転時に室内温度を感知し、前記感知した室内温度によって前記ベーンの運転角度を可変して空調気流を調節する段階からなることを特徴とする天井型エアコンのベーン制御方法。
【請求項１０】
空気調和運転が暖房モードの場合において、前記（ａ）段階は、
初期起動時に室内温度を感知する段階と、
前記感知した室内温度が既設定された温度以下であると、前記ベーンの運転角度を既設定された最大角度に制御する段階と、
一定時間単位に前記ベーンの運転角度を、前記最大角度から既設定された最小角度まで段階的に減少させて空調気流を調節する段階と、
前記ベーンの運転角度が最小角度に到達すると、前記ベーンの運転角度を最大角度と最小角度との範囲内で連続的に可変する自動スイングモードに切り替える段階と、からなることを特徴とする請求項９に記載の天井型エアコンのベーン制御方法。
【請求項１１】
前記（ａ）段階は、
前記感知した室内温度が既設定された温度以上であると、最大角度と最小角度との範囲内で連続的に可変する自動スイングモードに前記ベーンの運転角度を制御する段階をさらに備えることを特徴とする請求項１０に記載の天井型エアコンのベーン制御方法。
【請求項１２】
空気調和運転が冷房モードの場合において、前記（ａ）段階は、
初期起動時に室内温度を感知する段階と、
前記感知した室内温度が既設定された温度以上であると、前記ベーンの運転角度を既設定された最大角度に制御する段階と、
一定時間単位に前記ベーンの運転角度を前記最大角度から既設定された最小角度まで段階的に減少させて空調気流を調節する段階と、
前記ベーンの運転角度が最小角度に到達すると、前記ベーンの運転角度を最大角度と最小角度との範囲内で連続的に可変する自動スイングモードに切り替える段階と、からなることを特徴とする請求項９に記載の天井型エアコンのベーン制御方法。
【請求項１３】
前記（ａ）段階は、
前記感知した室内温度が既設定された温度以下であると、最大角度と最小角度との範囲内で連続的に可変する自動スイングモードに前記ベーンの運転角度を制御する段階をさらに備えることを特徴とする請求項１２に記載の天井型エアコンのベーン制御方法。
【請求項１４】
前記ベーンの運転角度を段階的に減少させる段階は、
最大角度から最小角度までの角度を複数に等分し、前記等分した角度によってベーンの運転角度を段階的に減少させることを特徴とする請求項１０または１２に記載の天井型エアコンのベーン制御方法。
【請求項１５】
前記最大角度は、９０度よりも小さい角度に設定されることを特徴とする請求項１０または１２に記載の天井型エアコンのベーン制御方法。
【請求項１６】
前記最小角度は、２０度よりも大きい角度に設定されることを特徴とする請求項１０または１２に記載の天井型エアコンのベーン制御方法。
【発明の詳細な説明】
【技術分野】
【０００１】
本発明は、空気調和機に係り、さらに詳細には、より速かに室内へ均一気流を提供できるようにした天井型エアコンのベーン制御方法に関する。
【背景技術】
【０００２】
一般に、空気調和機（air conditioner）は、床置き型、壁掛け型、天井型に分類され、ベーン（vane）によって風向きを調節して冷・暖房を行う。
【０００３】
なかでも、天井型（ceiling type）エアコンは天井に設置されるもので、使用者が設定しておいた設定温度に対応する風量を室内に供給する。このとき、天井型エアコンは、設定温度を保ちながらエアコンの側面に配置されたベーンを同時に開閉することで風向きを調節する。
【０００４】
一般に、冷凍サイクル装置は、図１に示すように、冷媒を圧縮して高温高圧状態に変換する圧縮機１０と、この圧縮機１０で圧縮された高温高圧状態の冷媒を液状に変換しながら内部潜熱を外部に放出する凝縮機２０と、凝縮機２０で液状に変換した冷媒の圧力を低下させる膨脹機構３０と、膨脹機構３０で膨脹された液体状態の冷媒を気体として蒸発させながら外部の熱を吸収する蒸発機４０と、を備えて構成される。
【０００５】
ここで、凝縮機２０及び蒸発機４０は、外部との熱交換を行うことから熱交換機ともいう。
【０００６】
このような冷凍サイクル装置は、凝縮機２０から放出する熱と蒸発機４０で生成する冷気を用いて食品を新鮮に保管する冷蔵庫及び室内を快適な状態に維持するエアコンなどに適用される。
【０００７】
図２は、従来の天井型エアコンの外部形状及びそれに適用されるベーン制御装置を示す例示図であり、同図においては、１個のステッピングモーター２５、ギアトレイン２６及びユニバーサルジョイント２７を用いて４個のベーン２１〜２４を同時に開閉して空気調和運転を行う。
【０００８】
ここで、ベーン２１〜２４の開閉は、室内温度が一定温度以下の場合、速い床暖房のために行われる。
【０００９】
そして、ベーン２１〜２４は、既設定された固定角度で同時に開いて室内への風向きを規定する。
【００１０】
このように天井に取り付けられるエアコンは、天井に設置されるという点から、室内のある空間に設置されて制限された領域の空気を調和させる他のタイプの空気調和機に比べて室内の空気を相対的に均一に分散調和させることができるという長所を有する。
【発明の開示】
【発明が解決しようとする課題】
【００１１】
しかしながら、従来の天井型エアコンは、ベーンを固定角度で同時に開閉駆動するため、暖房気流が床面に至るまで時間がかかり、室内温度を均一に上昇させ難いという問題があった。
【００１２】
その結果、室内全体に均一に暖房気流が提供できずに空気調和効率が低下し、内室者に不快感を与える恐れがあった。
【００１３】
本発明は上記の問題点を解決するためのもので、その目的は、エアコンの初期駆動時に、冷・暖房気流を床面まで速かに伝達することによって内室者の満足度を高めることができる天井型エアコンのベーン制御方法を提供することにある。
【００１４】
本発明の他の目的は、経時によって最適の気流を提供して気流不快感を最小化できるようにした天井型エアコンのベーン制御方法を提供することにある。
【課題を解決するための手段】
【００１５】
上記目的を達成するための本発明は、風向きを調節するための複数のベーン（vane）を備えた天井型エアコンのベーン制御方法であって、（ａ）空気調和運転を行う間に、前記ベーンの運転角度を段階的に可変して空調気流を調節する段階、からなることを特徴とする。
【００１６】
前記（ａ）段階は、空気調和運転が開始されると、前記ベーンの運転角度を既設定された最大角度に制御して空調気流を最大に増加させる段階と、前記ベーンの運転角度を一定時間単位に最大角度から既設定された最小角度まで段階的に減少させて空調気流を調節する段階と、前記ベーンの運転角度が最初に最小角度に到達した後には、前記最大角度と最小角度との範囲内で前記ベーンの運転角度を連続的に可変する自動スイングモード（auto swing mode）に切り替える段階と、からなることを特徴とする。
【００１７】
また、前記（ａ）段階は、空気調和運転が開始されると、前記ベーンの運転角度を既設定された最大角度に制御して空調気流を最大に増加させる段階と、既設定された時間が経過すると、前記ベーンの運転角度を最大角度と最小角度との範囲内で連続的に可変する自動スイングモードに切り替える段階と、からなることを特徴とする。
【００１８】
また、前記（ａ）段階は、空気調和運転が開始されると、前記ベーンの運転角度を既設定された最大角度に制御して空調気流を最大に増加させ、室内温度を周期的に感知する段階と、前記感知した室内温度が既設定された温度レベルに到達すると、前記ベーンの運転角度を最大角度と最小角度との範囲内で連続的に可変する自動スイングモードに切り替える段階と、からなることを特徴とする。
【００１９】
ここで、前記最大角度は、９０度よりも小さい角度に設定され、前記最小角度は、２０度よりも大きい角度に設定されることが好ましい。
【００２０】
上記目的を達成するための本発明は、風向きを調節するための複数のベーン（vane）を備えた天井型エアコンのベーン制御方法であって、（ａ）空気調和運転時に室内温度を感知し、前記感知した室内温度によって前記ベーンの運転角度を可変して空調気流を調節する段階からなることを特徴とする。
【００２１】
ここで、空気調和運転が暖房モードの場合、前記（ａ）段階は、初期起動時に室内温度を感知する段階と、前記感知した室内温度が既設定された温度以下であると、前記ベーンの運転角度を既設定された最大角度に制御する段階と、一定時間単位に前記ベーンの運転角度を、前記最大角度から既設定された最小角度まで段階的に減少させて空調気流を調節する段階と、前記ベーンの運転角度が最小角度に到達すると、前記ベーンの運転角度を最大角度と最小角度との範囲内で連続的に可変する自動スイングモードに切り替える段階と、からなることを特徴とする。
【００２２】
空気調和運転が冷房モードの場合、前記（ａ）段階は、初期起動時に室内温度を感知する段階と、前記感知した室内温度が既設定された温度以上であると、前記ベーンの運転角度を既設定された最大角度に制御する段階と、一定時間単位に前記ベーンの運転角度を前記最大角度から既設定された最小角度まで段階的に減少させて空調気流を調節する段階と、前記ベーンの運転角度が最小角度に到達すると、前記ベーンの運転角度を最大角度と最小角度との範囲内で連続的に可変する自動スイングモードに切り替える段階と、からなることを特徴とする。
【００２３】
ここで、前記ベーンの運転角度を段階的に減少させる段階は、最大角度から最小角度までの角度を複数に等分し、前記等分した角度によってベーンの運転角度を段階的に減少させることを特徴とする。
【００２４】
また、前記最大角度は、９０度よりも小さく、前記最小角度は、２０度よりも大きい角度であると好ましい。
【発明の効果】
【００２５】
本発明に係る天井型エアコンのベーン制御方法によれば、下記の効果が得られる。
【００２６】
第一に、初期運転時に最大気流速度を提供して冷・暖房気流を床面まで迅速に伝達するため、内室者の体感温度に対する満足度を高めることができる。
【００２７】
第二に、経時によって室内気流速度を可変するために、より速かに均一気流を提供し空気調和性能を向上させることができる。
【００２８】
第三に、初期運転時に最大空調気流を提供した後、気流を連続的に可変するために、内室者の気流不快感を最小化することができる。
【発明を実施するための最良の形態】
【００２９】
以下、本発明に係る天井型エアコンのベーン制御方法の好適な実施形態を、添付の図面を参照しつつ詳細に説明する。
【００３０】
ただし、本発明に係る天井型エアコンの構成は図２を参照し、よって、同一の構成要素には同一名称及び同一符号を付するものとする。
【００３１】
本発明は、冷・暖房の初期運転時に、内室者の室内温度に対する満足度を高めるために複数のベーン２１〜２４を同時に最大運転角度に制御して直接風を提供し、以降、内室者の気流不快感を最小化するために、経時によって室内気流速度を可変することに特徴がある。
【００３２】
図３は、本発明による暖房運転時のベーン制御方法を示すフローチャートであり、これを参照して本発明に係る天井型エアコンのベーン制御方法を以下に説明する。
【００３３】
まず、暖房運転が開始されると、室内温度が既設定された一定温度以下なのか否かを判断する（Ｓ３０）。
【００３４】
Ｓ３０の判断結果において、室内温度が一定温度以下であると、複数のベーン２１〜２４に対する制御を同時に行う（Ｓ３２）。
【００３５】
このとき、暖房運転の初期起動時に室内温度が一定温度以下であると、全てのベーン２１〜２４の運転角度を最大角度である第４設定角度Ｘ4に制御してベーンの気流吹き出し流路を最大とする（Ｓ３４）。
【００３６】
初期起動時には内室者の直接風への気流不快感が少ないので、全てのベーン２１〜２４の運転角度を最大角度Ｘ4に制御して暖房気流が床面まで速かに伝達されるようにする。
【００３７】
すなわち、全てのベーン２１〜２４の運転角度を最大角度である第４設定角度Ｘ4に制御することによって気流速度を最大限に増加させ、短時間で内室者の体温を上昇させる直接風を提供する。
【００３８】
その後、既設定された一定時間Ｔが経過すると（Ｓ３６）、全てのベーン２１〜２４の運転角度を第４設定角度Ｘ4よりも小さい第３設定角度Ｘ3とし、気流速度を減少させる（Ｓ３８）。
【００３９】
動作Ｓ３８への進入後に一定時間Ｔが経過すると（Ｓ４０）、全てのベーン２１〜２４の運転角度を第３設定角度Ｘ3よりも小さい第２設定角度Ｘ2とし、気流速度を減少させる（Ｓ４２）。
【００４０】
また、動作Ｓ４２への進入後に一定時間Ｔが経過すると（Ｓ４４）、全てのベーン２１〜２４の運転角度を第２設定角度Ｘ2よりも小さい第１設定角度Ｘ1とし、気流速度を減少させる（Ｓ４６）。
【００４１】
このように、一定時間Ｔ単位にベーン２１〜２４の運転角度を第４設定角度Ｘ4から第１設定角度Ｘ1に段階的に減少させ気流速度を可変することによって、気流不快感を最小化しながら室内温度を上げることができる。
【００４２】
続いて、動作Ｓ４６への進入後に一定時間Ｔが経過すると（Ｓ４８）、ベーン２１〜２４の運転角度を、第１設定角度Ｘ1〜第４設定角度Ｘ4の範囲内で連続的に可変する自動スイングモード（auto swing mode）に切り替える（Ｓ５０）。
【００４３】
要するに、暖房初期運転時にはベーン２１〜２４の運転角度を第４設定角度Ｘ4から第１設定角度Ｘ1まで段階的に可変しながら室内温度を速かに上昇させた後、室内温度がある程度上昇した時点（すなわち、ベーン２１〜２４の運転角度が最小角度である第１設定角度Ｘ1に到達した時点）では自動スイングモードに切り替えて内室者の気流不快感を最小限に抑える。
【００４４】
一方、動作Ｓ３０の判断結果として、暖房運転を開始した時点の室内温度が一定温度以上であると、ベーン２１〜２４の運転角度を連続的に可変する自動スイングモードに直接進入して空気調和運転を行う。
【００４５】
また、ベーンの運転角度を第４設定角度Ｘ4から第１設定角度Ｘ1まで段階的に減少させる過程を省き、初期起動時にベーンの運転角度を第４設定角度Ｘ4として駆動する状態で、一定時間が経過したり室内温度が一定温度に上昇したりすると、自動スイングモードに直ちに進入するようにしても良い。
【００４６】
本発明に係る天井型エアコンの全ベーン２１〜２４は、図４に示すように、最小角度Ｘ1乃至最大角度Ｘ4の範囲で運転角度を可変制御する。
【００４７】
すなわち、最小角度Ｘ1乃至最大角度Ｘ4の範囲の角度を任意の複数個に等分してベーンの運転角度を段階的に制御することができる。
【００４８】
ここで、第４設定角度Ｘ4は最大運転角度であって、９０度に近い角度に設定し、第１設定角度Ｘ1は最小運転角度であって、２０度以上の角度に設定する。
【００４９】
例えば、第１設定角度Ｘ1は３０度、第２設定角度Ｘ2は４０度、第３設定角度Ｘ3は６０度、第４設定角度Ｘ4は７０度にすることができる。
【００５０】
一方、本発明に係る冷房運転時のベーン制御も、上記の暖房運転時のアルゴリズムによって行われる。
【００５１】
すなわち、使用者が冷房運転を開始した時点で、室内温度が既設定された一定温度以上であると、ベーン２１〜２４の運転角度を最大角度Ｘ4に制御して最大の気流速度を提供する。これにより、冷房気流を床面まで迅速に伝達し、内室者に直接風を提供する。
【００５２】
以後、一定時間単位にベーン２１〜２４の運転角度を段階的に可変して室内温度をより速かに下降させつつ均一気流を提供する。
【００５３】
暖房運転におけると同様に、使用者が冷房運転を開始した時点で、室内温度が一定温度以下であると、自動スイングモードによって冷房運転を行う。
【００５４】
以上説明してきた内容から当業者なら本発明の技術思想を逸脱しない範囲で種々の改変が可能である。したがって、本発明の技術的範囲は、以上説明された具体内容に限定されてはいけなく、特許請求の範囲によって定められるべきである。
【図面の簡単な説明】
【００５５】
【図１】一般のエアコンに適用される冷凍サイクル装置を示す例示図である。
【図２】天井型エアコンの外部形状及びそれに適用されるベーン制御装置を示す図である。
【図３】本発明に係る天井型エアコンのベーン制御方法を示すフローチャートである。
【図４】本発明のベーン制御による風向きを示す図である。
【符号の説明】
【００５６】
２１，２２，２３，２４    ベーン
【図１】
2006317142.tif 000003
【図２】
2006317142.tif 000004
【図３】
2006317142.tif 000005
【図４】
2006317142.tif 000006